(57)【要約】      （修正有）【課題】おもりの表面を広くしっかりと覆うことができておもりから外れにくいおもり用カバーを提供する。【解決手段】釣り用のシンカーまたはメタルジグの外側に被せるおもり用カバーであって、内外に貫通する開口３を少なくとも１箇所に有する中空体２であること、および、当該開口の直径を３倍以上に拡大できる弾性変形能を有する軟質弾性皮膜によって形成されている。【選択図】図１
0003225397.tif 000002
【実用新案登録請求の範囲】
【請求項１】
釣り用のシンカーまたはメタルジグの外側に着脱可能に被せることができるおもり用カバーであって、
内外に貫通する開口を少なくとも１箇所に有する中空体であること、および、当該開口の直径を３倍以上に拡大できる弾性変形能を有する軟質弾性皮膜によって形成されていることを特徴とするおもり用カバー。
【請求項２】
上記皮膜が、厚さ０．５ｍｍ〜１．５ｍｍのエラストマーにてなることを特徴とする請求項１に記載のおもり用カバー。
【請求項３】
上記皮膜の内側に、シンカーまたはメタルジグとの間で集魚液放散物質を収容し得る空間を形成する突起または凹部が形成されていることを特徴とする請求項１または２に記載のおもり用カバー。
【請求項４】
上記皮膜の外側に、シンカーまたはメタルジグの動きによって水中で水流を形成するための突起または凹部が形成されていることを特徴とする請求項１〜３のいずれかに記載のおもり用カバー。
【請求項５】
上記皮膜が、上記の開口を利用することによって内側と外側とを逆にするよう反転させられるものであることを特徴とする請求項１〜４のいずれかに記載のおもり用カバー。
【請求項６】
鯛ラバーのシンカーに被せるおもり用カバーであり、上記の開口とともに別の開口を有し、一方の開口を通して当該シンカーに擬似餌部材および釣針を取り付けることができ、他の開口を通して当該シンカーに釣糸を通すことができることを特徴とする請求項１〜５のいずれかに記載のおもり用カバー。
【請求項７】
形状と大きさとが同じであり、色彩、透明度、夜光性の有無または厚さが異なる複数個が、選択して使用されるよう１組のセットにされていることを特徴とする請求項１〜６のいずれかに記載のおもり用カバー。
【請求項８】
請求項１〜７のいずれかに記載のおもり用カバーがシンカーの外側に着脱可能に被せられ、そのシンカーに、擬似餌部材と釣針が取り付けられるとともに釣糸が接続されることを特徴とする鯛ラバー。
【考案の詳細な説明】
【技術分野】
【０００１】
本考案は、釣り用のシンカーまたはメタルジグの外側に着脱可能に被せることができるおもり用カバーと、そのおもり用カバーを被せたシンカーを有する鯛ラバーに関するものである。
【背景技術】
【０００２】
釣り用のおもりがゴムカバーを被せた状態で使用されることがある。投げ釣りや岩穴釣りをする場合、海底の岩の間におもりが引っかかることが少なくないが、そのように引っかかったときも、釣糸を強めに引っ張るとゴムカバーが外れて容易におもりを回収できるようにするためである。
そのように使用するゴムカバーについて特許文献１等に記載がある。当該文献１には、少し肉厚の柔らかいゴムを材質とすることや、ゴムカバーの表面の色を海底でも光るものにして魚を引き寄せやすくすること等の記載もある。
【先行技術文献】
【特許文献】
【０００３】
【特許文献１】実用新案登録第３０２８０１３号
【考案の概要】
【考案が解決しようとする課題】
【０００４】
特許文献１に記載のようなゴムカバーをおもりに被せると、岩の間におもりが引っかかったときにも上記のとおりそれを回収できるはずであり、適当な色彩を付すなら集魚効果を高めることも可能だと考えられる。ゴムカバーを被せることによって、おもり（とくに表面の塗膜）を保護する効果も期待できる。
しかし、上記のゴムカバーは、おもりから外れやすくする必要があるため、頂点（釣糸を通す開口の部分）から中央部付近にまで数箇所に深い切り込み線を入れるものである。ゴムは弾性体であって伸び縮みするが、一般的なゴムは伸縮性が十分でないため、単なる開口を設けるだけではおもりの外側に被せることが難しいという事情も、切り込み線を設ける理由であろうと推測できる。
【０００５】
上記のように切り込み線を有していておもりから外れやすいゴムカバーでは、おもりの表面を広くしっかりと覆ってその塗膜等を十分に保護することは難しい。おもりとそれに接続した擬似餌等を動かして魚を引き付けようとするとき、おもりが岩に当たると金属音が発生して魚が逃げることがあるが、カバーが外れやすいなら金属音の発生をつねに防止できるともいい難い。また、切り込み線のためにカバーがおもりから離れやすいので、両者間に特殊な物資を入れて魚が好む臭い等を放散させる、といった積極的な集魚方法をとることも難しい。
本考案はそのような点を考慮して行ったもので、おもりの表面を広くしっかりと覆うことができておもりから外れにくいおもり用カバー等を提供することを目的とする。
【課題を解決するための手段】
【０００６】
考案によるおもり用カバーは、釣り用のシンカーやメタルジグ（すなわち金属製であり水中に沈むもの）の外側に密に添わせて被せることができ逆に取り外すこともできるおもり用カバーであって、内外に貫通する（つまり内側・外側間に通じた）開口を少なくとも１箇所に有する中空体（つまり内側に空洞があるもの）であること、および、当該開口の直径を３倍以上に拡大できる弾性変形能を有する軟質弾性皮膜によって形成されていることを特徴とする。考案のおもり用カバーの一例を図１・図３に示し、カバーがシンカーに被せられた状態を図２に例示している。
【０００７】
このようなおもり用カバーなら、上記文献１の例のように切り込み線を有しなくとも、上記の開口を利用しておもりの外側に着脱可能に密に被せることができる。軟質弾性皮膜の弾性（伸縮性）に基づいて上記開口の直径を３倍以上に拡大できるからである。拡大したその開口を通して、おもりの外側に、おもりを包みこむようにカバーすなわち中空体皮膜を被せ、また逆に取り外すことが可能なのである。
上記開口が大きく拡大できるものであるなら、伸縮性に基づいてその開口を小さく形成しておくことができ、当該カバーをおもりに被せた状態においても開口の直径が小さく保たれるように寸法設計をすることができる。そうして開口を小さいものにすると、カバーは、おもりの表面を広くしっかりと覆って外れにくいように被せられる。皮膜の弾性変形能が高いため、おもりの外側に密着させて被せることも当然に可能である。したがって、考案のおもり用カバーは、おもりの塗膜等を十分に保護するとともに、おもりが海底の岩などに当たったときの金属音を常に確実に抑制する（そのために魚を驚かして遠ざけることがない）という効果をもたらす。また、おもりとカバーとの間に魚が好む臭いの物質を入れて上記開口から徐々に臭いを放散させるといった集魚方法をとることも可能になる。
【０００８】
考案のおもり用カバーにおいては、中空体を構成する上記皮膜が厚さ０．５ｍｍ〜１．５ｍｍのエラストマー（熱可塑性エラストマー）であると好ましい。
【０００９】
エラストマーは、合成ゴムやシリコンゴム、塩化ビニル等と比べても弾性変形能がきわめて高く、上記のとおり開口の直径を弾性変形によって３倍以上に拡大することも難しくない。厚さが上記の範囲なら弾性変形にて５倍以上に拡大することもできる。そのため、上記の軟質弾性皮膜としておもり用カバーを形成するのにエラストマーがとくに適している。エラストマーは加工性にも優れるため、開口付きの中空体とすることも比較的低コストで行えるほか、着色性も良好であるから、集魚効果を高めるために色彩を付すことも困難でない。弾性に富むので、魚が噛み付いたときの感触も悪くないはずであり魚を怖がらせる心配がない。
ただ、エラストマーは比重が小さいことから、これを材料とするカバーについて厚みを増すと、水中でのおもりの動きが鈍化する。動きが鈍いと、おもりや擬似餌等が魚を引き付ける効果が低下するため、上記のとおり厚さが１．５ｍｍを超えないのが有利である。また、岩等に当たったときに衝撃を緩和して魚を驚かさず、しかもおもりの塗膜を保護するうえでは、厚さが０．５ｍｍ以上あることが望ましい。
なお、おもりすなわちシンカーまたはメタルジグがタングステン製であるとき、それに被せるエラストマー製のカバーとして、厚さが０．５〜１．０ｍｍ程度の薄手のものを使用するのも好ましい。タングステンは鉛よりも比重が高いため、タングステン製のおもりに薄手のカバーを付けた場合には、水中での動きをすばやくして魚を引き付けやすくするうえで有利である。
【００１０】
上記のおもり用カバーにおいて、上記皮膜の内側（中空体の内面）に、シンカーまたはメタルジグとの間で集魚液放散物質を収容し得る空間を形成する突起または凹部が形成されているととくに好ましい。図３はその一例を示しており、内側の面に突起５を形成しており、その間が凹部６となっている。
【００１１】
おもり用カバーの内側に上記のとおり突起や凹部があって、それを装着したおもり（シンカーやメタルジグ）との間で空間を形成できるなら、その空間内に集魚液放散物質（魚が好む臭いを放散して魚を引き寄せることができる物資）を収容できる。そうすれば、カバーが有する上記の開口等から徐々にその物質が放散するため、相当の時間にわたって効果的に魚を引き寄せることができ釣果を上げることが可能になる。
【００１２】
一方、上記皮膜の外側には、シンカーまたはメタルジグの動きによって水中で水流を形成するための突起または凹部が形成されているのも好ましい。
【００１３】
おもり用カバーとする皮膜の外側に突起または凹部があり、おもり（シンカーやメタルジグ）が水中で動くとき何らかの水流の変化を起こせるようなら、そのカバーによって集魚効果を高めることが期待される。魚には、水流の僅かな変化に対しても引き寄せられるという習性があるからである。水流が変化するとともに水中でのおもりの動きに変化をもたせることができるなら、それによっても魚を引き付けることができる。
なお、考案のおもり用カバーは弾性変形能の高い皮膜にて形成され、上記の開口が大きく拡大され得ることから、必ずしも皮膜の外側に上記の突起や凹部が形成されなくともよい。上記皮膜の内側のみ（または外側のみ）に適切な突起または凹部を形成しておき、上記開口を利用して内側と外側とを逆にするよう反転してカバーを使用すれば、その突起等を内側に向けて集魚液放散物質を収容するか、外側に向けて水流を水流を引き起こすかを選択することができる。
【００１４】
考案のおもり用カバーは、鯛ラバーのシンカー（ヘッドの部分）に被せるものであっても好ましい。具体的には、上記おもり用カバーが上記の開口とともに別の開口を有し、一方の開口を通して鯛ラバーのシンカーに擬似餌部材および釣針を取り付けることができ、他の開口を通して当該シンカーに釣糸を通すことができるものであるとよい。図４に、おもり用カバー（１）が鯛ラバーのシンカー（１１）に被せられた状態を例示している。
【００１５】
鯛ラバー（鯛カブラともいう）は鯛を釣るのに適したルアーである。遊動式（またはスライド式）と呼ばれる多くの鯛ラバーは、ヘッド部分（すなわちシンカー）に設けられた孔に、擬似餌部材であるラバー（スカートやネクタイと呼ばれるもの）とともに釣針（フック）を含む仕掛けセットをスライド可能に取り付け、さらにそれらにつながるように、別の孔を利用して釣糸を接続したものである。鯛は直線状に速く動く物に興味をもって食い付くため、鯛ラバーは、舟の上から海底まで落とした後、釣糸を操って引き上げと落下を繰り返すようにして使用する。
おもり用カバーに上記した開口と他の開口とがあれば、鯛ラバーのシンカーにそのカバーを被せた状態でも、それら２つの開口を通して擬似餌部材と針とを含む仕掛けを取り付け、また別の開口（通孔）に通して釣糸を接続することができる。
考案によるカバーなら、シンカーの表面を広くしっかりと覆って外れにくいため、シンカーの塗膜等を適切に保護できるうえ、おもりが海底の岩などに当たったとき発生する金属音の強さを抑制する。上述のように鯛ラバーは上下に動かして使用するため海底の岩場に当たることも多いことから、考案のカバーによる上記の特性はきわめて有意義である。
鯛ラバーのシンカーとしてもタングステンのものが使用されることがある。その場合、上記のとおり厚さが０．５〜１．０ｍｍ程度の薄手のものを使用すると、水中での鯛ラバーの動きをすばやくすることができ、釣果を上げるうえで有利である。
【００１６】
考案によるおもり用カバーについては、形状と大きさとが同じであり、色彩、透明度、夜光性の有無または厚さが異なる複数個が、選択して使用されるよう１組のセットにされていると好ましい。
【００１７】
目立つ色彩を付したおもり用カバーをおもりに被せて使用すると、それが魚の目にとまって集魚効果を生じることは当然に期待される。しかし、同じ色のものが常に魚を引き寄せるとは限らない。
その点、上記のように色彩等の異なる複数個がセットになっておれば、釣りを行う場所や時間帯、潮の流れ等に応じて任意のカバーを選択しておもりに被せることができる。たとえば夕方以降には、夜光性のあるカバーを使用すると集魚効果があって釣果の上がることが多い。色彩や夜光性等の異なる多数のおもりを釣り場へ持参することは重くて困難であるが、多数種類のカバーを持参して少数のおもりに付け替えて使用すると、おもりを多数持参・使用するのと同等の効果が期待できる。
【００１８】
考案による鯛ラバーは、上記の特徴を有するおもり用カバーがシンカーの外側に着脱可能に被せられ、そのシンカーに、擬似餌部材と釣針が取り付けられるとともに釣糸が接続されることを特徴とする。
【００１９】
そのような鯛ラバーでは、上記のおもり用カバーがシンカーの外側に着脱可能に被せられてシンカーの表面を広くしっかりと覆い、シンカーから外れにくい。そのため、シンカーは海底の岩などに衝突することが多いにもかかわらず、シンカーの塗膜等が適切に保護されるうえ、衝突時に発生する金属音の強さが効果的に抑制される。
とくに、鯛ラバーのシンカーがタングステン製である場合、シンカーの比重が高いために動きが速くて岩場等への衝突速度も高いため、考案のおもり用カバーがシンカーに被せられていることのメリットは大きい。タングステン製のシンカーにおいては表面の塗膜が剥離しやすいため、その点でも有意義である。
【考案の効果】
【００２０】
考案のおもり用カバーによれば、皮膜が有する弾性と小さめの開口とに基づいて、釣り用のおもりすなわちシンカーやメタルジグに対し、表面を広くしっかりと覆って外れにくいように被せることができる。そのため、おもりの塗膜等を十分に保護することができ、おもりが海底の岩などに当たったときの金属音を確実に抑制することができる。
おもり用カバーを構成する皮膜がエラストマーであれば、十分な弾性変形能を有するうえ、加工性、着色性等においても良好である。厚みを適切にすれば、おもりの動きを鈍化させず、また衝撃を緩和する特性も保たれる。
おもり用カバーの皮膜の内側に突起または凹部を形成しておもりとの間で集魚液放散物質の収容空間を形成すると、臭いを発する物質をそこに入れて集魚効果を高めることが可能になる。また、上記皮膜の外側に水中で水流を形成する突起または凹部を形成すると、それによっても集魚効果を高めることができる。上記の開口を利用して皮膜の内側と外側とを逆にできるなら、上記それぞれの使い方を選択することもできる。
色彩や透明度、夜光性の有無または厚さが異なる複数個のカバーを１組のセットにするなら、釣り場へ持参するおもりが少数・少種類であっても、場所や時間帯、潮の流れ等に応じて最適のおもりを使用するのと同様の好ましい釣りを行うことが可能である。
考案によるおもり用カバーを鯛ラバーのシンカーに被せて使用するとき、または、考案のおもり用カバーをシンカーに被せて鯛ラバーを構成するときは、シンカーの塗膜等を保護し、岩との衝突時の金属音を抑制するうえでとくに有意義である。
【図面の簡単な説明】
【００２１】
【図１】考案によるおもり用カバーの一例を示す図であって、図１（ａ）はおもり用カバー１の斜視図、同（ｂ）は同（ａ）におけるｂ−ｂ断面図である。
【図２】図１のおもり用カバー１を球形のシンカー１１に被せた状態を示す斜視図である。
【図３】考案によるおもり用カバーについて、図１とは別の例を示す断面図である。
【図４】考案のおもり用カバー１をシンカー１１に被せた状態の鯛ラバー１０について示す斜視図である。
【考案を実施するための形態】
【００２２】
考案によるおもり用カバーについて一実施例を図１（ａ）・（ｂ）に示す。
おもり用カバー１は、図示のような球形の中空体２であって、球形または球形に近い各種のおもりの表面に密に被せられるよう形成したものである。弾性変形能の大きい熱可塑性エラストマーを材料として中空体２を形成しており、その球体の直径は約２０ｍｍ、皮膜の厚さは約１ｍｍである。
【００２３】
中空体２には、図１の最上部の位置に直径約５ｍｍの開口３を形成し、また最下部に近い位置に直径約２ｍｍの通孔４を形成している。図示のカバー１を被せるおもりには、釣針や釣糸等を接続する必要があるが、カバー１を装着した後にもそれらをおもりに対して容易に接続できるよう、あらかじめ開口３と通孔４とをカバー１に形成したのである。
【００２４】
カバー１の材料とした熱可塑性エラストマー（たとえばスチレン系のもの）は弾性変形能に富んでいて伸縮率が高い。そのため上記の開口３を指で広げる等してその直径を最大４０ｍｍ程度（すなわち元の８倍程度）にまで拡大することができ、それで破断したり永久変形したりすることはなく、指を離せば縮んで元に戻る。開口３がそのように拡大し得ることから、このカバー１は、直径２０〜３０ｍｍ程度に相当する大きさのおもりに対し円滑に被せてその表面に密着させることができる。カバー１を被せるおもりは球形のみには限らず、楕円球形や棒状その他の形状のおもりに対して密に被せることができる。
【００２５】
図１のおもり用カバー１を球形のシンカー（おもり）１１に装着した例を図２に示す。上記のように開口３を指で広げ、シンカー１１の外径以上の大きさに拡大したうえで被せることにより、図示のとおりシンカー１１を包み込むように装着することができる。シンカー１１には、釣針等を取り付ける装着口１２と、その釣針等につながる釣糸を通すための挿通口１３とが設けられているので、それら装着口１２と挿通口１３の各外側にカバー１の開口３と通孔４とを位置させる。カバー１は弾性変形させやすいので、開口３と通孔４との位置関係がシンカー１１の装着口１２と挿通口１３との位置関係と一致しないときも、適宜に伸縮させて位置を合わせることができる。
【００２６】
上記した中空体２の内側面には、図３に示すおもり用カバー１’のように突起５を形成するのも好ましい。図３の例では突起５をスジ状に形成してその間に溝状の凹部６ができるようにしているが、他の形態の突起や凹部を設けてもよい。
内側面に突起５等を形成すると、そのカバー１’をおもりに被せたとき、おもりとの間に空間ができるため、そこに集魚液放散物質を充填することができる。十分な量だけそのような物質を入れておくと、おもりとカバー１’との間から開口３を経て少しずつ水中に集魚液がしみ出し、集魚効果を長時間発揮させることができる。
【００２７】
カバー１’の開口３も上記と同じく大きく拡大し得ることから、その開口３を利用して中空体２を反転させて使用するのもよい。おもりに被せたカバー１’の外側表面に突起５等が存在することになるので、水中でおもりを移動させるとき微妙に水流を変化させることができ、魚に興味をもたせて引き寄せる効果が期待できる。
【００２８】
図４には、考案のおもり用カバーを鯛ラバーに用いる場合の一例を示している。
図４の鯛ラバー１０はいわゆる遊動式（スライド式）のもので、図示のように、シンカー１１に設けられた装着口１２に、擬似餌部材（ラバー）２２とともに釣針２３を取り付けたジョイント金具２１をスライド可能に挿入するとともに、その金具２１につながる釣糸２４を別の挿通口１３から取り出したものである。こうした鯛ラバー１０におけるシンカー１１に対し、上記の金具２１や釣糸２４を接続する前にカバー１（図３のカバー１’でもよい）を被せたうえ、図２と同様にその開口３と通孔４の各位置を装着口１２と挿通口１３の位置に合わせておく。
【００２９】
図４のとおり、シンカー１１にカバー１を被せるとともに、金具２１を介して疑似餌部材２２と釣針２３、釣糸２４を取り付けて構成する鯛ラバー１０は、鯛を釣るのに適した仕掛けとして使用することができる。釣糸２４を操作して海中で上下等に素速く動かすとシンカー１１や疑似餌部材２２に鯛の興味を引き付け得るからである。
シンカー１１に被せるカバー１として、鯛が好みそうな着色をそれぞれ施し、透明度や夜光顔料の有無を変更したものを多数種類用意しておけば、同じシンカー１１等を使用しながらも、場所や時間帯等に合わせてシンカーを使い分けるのと同様の釣りを行える。また、上下に素速く動かすために海底の岩場にシンカー１１が当たることも少なくないが、カバー１を被せていると衝突時の金属音を低減して魚を驚かすことがなく、またシンカー１１の表面塗膜を保護することができる。
【００３０】
鯛ラバー１０のシンカー１１として、鉛よりも比重の大きいタングステン製のものを使用すると、体積を小さくし海中での速度を高めて釣果を上げることもできる。その際、カバー１が厚いと抵抗が増すため、厚さ０．５〜１．０ｍｍ程度の薄手のカバー１を使用するのが好ましい。
【符号の説明】
【００３１】
１・１’  おもり用カバー
２  中空体
３  開口
５  突起
６  凹部
１０  鯛ラバー
１１  シンカー
２２  疑似餌部材
２３  釣針
２４  釣糸
【図１】
0003225397.tif 000003
【図２】
0003225397.tif 000004
【図３】
0003225397.tif 000005
【図４】
0003225397.tif 000006
【手続補正書】
【提出日】令和1年12月25日(2019.12.25)
【手続補正１】
【補正対象書類名】実用新案登録請求の範囲
【補正対象項目名】全文
【補正方法】変更
【補正の内容】
【実用新案登録請求の範囲】
【請求項１】
釣り用のシンカーまたはメタルジグの外側に被せるおもり用カバーであって、
内外に貫通する開口を少なくとも１箇所に有する中空体であること、および、当該開口の直径を３倍以上に拡大できる弾性変形能を有する軟質弾性皮膜によって形成されていることを特徴とするおもり用カバー。
【請求項２】
上記皮膜が、厚さ０．５ｍｍ〜１．５ｍｍのエラストマーにてなることを特徴とする請求項１に記載のおもり用カバー。
【請求項３】
上記皮膜の内側に、シンカーまたはメタルジグとの間で集魚液放散物質を収容し得る空間を形成する突起または凹部が形成されていることを特徴とする請求項１または２に記載のおもり用カバー。
【請求項４】
上記皮膜の外側に、シンカーまたはメタルジグの動きによって水中で水流を形成するための突起または凹部が形成されていることを特徴とする請求項１〜３のいずれかに記載のおもり用カバー。
【請求項５】
上記皮膜が、上記の開口を利用することによって内側と外側とを逆にするよう反転させられるものであることを特徴とする請求項１〜４のいずれかに記載のおもり用カバー。
【請求項６】
鯛ラバーのシンカーに被せるおもり用カバーであり、上記の開口とともに別の開口を有し、一方の開口を通して当該シンカーに擬似餌部材および釣針を取り付けることができ、他の開口を通して当該シンカーに釣糸を通すことができることを特徴とする請求項１〜５のいずれかに記載のおもり用カバー。
【請求項７】
形状と大きさとが同じであり、色彩、透明度、夜光性の有無または厚さが異なる複数個が、選択して使用されるよう１組のセットにされていることを特徴とする請求項１〜６のいずれかに記載のおもり用カバー。
【請求項８】
請求項１〜７のいずれかに記載のおもり用カバーがシンカーの外側に被せられ、そのシンカーに、擬似餌部材と釣針が取り付けられるとともに釣糸が接続されることを特徴とする鯛ラバー。